(57)【要約】【課題】ハイダイナミックレンジの動画を複数台のデジタルカメラを用いて撮影した映像から作成する状況において、撮影開始前にハイダイナミックレンジ合成結果のプレビュー映像を確認できる機能を提供することと、複数台のデジタルカメラに対して、ハイダイナミックレンジの設定を自動で決定する機能を提供すること。【解決手段】コンピュータと複数台のデジタルカメラを接続し、ハイダイナミックレンジの画像や動画を作成する素材画像を撮影する状況において、個々のデジタルカメラから得られたライブビュー画像をハイダイナミックレンジ合成しプレビュー表示し、露出の範囲、露出補正量の設定などを撮影者が決定した際に、ハイダイナミックレンジ用の設定を一度に複数台のデジタルカメラへ行うことでより簡単にハイダイナミックレンジ画像・動画の素材画像を撮影可能とさせることを特徴とする。【選択図】  図１
2013162190.tif 000002
【特許請求の範囲】
【請求項１】
コンピュータ１と複数台の撮影装置（２ａ、２ｂ、２ｃ）を接続し、リモートでの撮影に係る情報を表示する画面と、複数台の撮像装置毎のライブビュー表示する画面（３０１、３０２、３０３）とを有し、複数台の撮像装置から得られたライブビュー画像をハイダイナミックレンジ合成した結果を表示する画面（３１１）とを備える撮影補助装置において、
ライブビューを表示する手段（３０１、３０２、３０３）と、複数台の撮像装置から得られたライブビュー画像をハイダイナミックレンジ合成（図３ｂ）した結果を表示する手段（３１１）を有し、撮影者が１つの操作でハイダイナミックレンジの設定を行った際に、複数台の撮像装置に対しハイダイナミックレンジの設定に合わせて撮影設定を変更できる手段（図４）とを有することを特徴とする撮影補助装置。
【請求項２】
複数台の撮像装置（２ａ，２ｂ，２ｃ）から得られた各ライブビュー画像をハイダイナミックレンジ合成しプレビュー表示する（図５）ことを特徴とする請求項１に記載の撮影補助装置。
【請求項３】
複数台の撮像装置（２ａ，２ｂ，２ｃ）に対し、ハイダイナミックレンジの画像及び映像を撮影後に作成可能な様に、自動で露出補正の設定量を算出し、個々の撮像装置の設定を変更可能とすることを特徴とする請求項１に記載の撮影補助装置。
【請求項４】
複数台の撮像装置から得られたライブビュー画像のずれ量を算出し表示する手段（３１５）を有し、複数台の撮像装置（２ａ，２ｂ，２ｃ）から得られた各ライブビュー画像の注目点を比較し画像のズレ量を算出し表示する機能を有することを特徴とする請求項１に記載の撮影補助装置。
【請求項５】
オートフォーカスを開始および終了する手段（３１２）、マニュアルでのフォーカス調整をする手段（３１３）を有し、オートフォーカスといったライブビュー画像の変更状態を判定しハイダイナミックレンジプレビュー画像の表示を自動で変更する機能を有することを特徴とする請求項１に記載の撮影補助装置。
【発明の詳細な説明】
【技術分野】
【０００１】
本発明は、複数台のカメラをリモート制御し、特にハイダイナミックレンジ動画に必要な素材動画を撮影する際、複数台カメラへの同時設定と表示を補助する装置に関するものである。
【背景技術】
【０００２】
従来、ハイダイナミックレンジ動画を作成する上で、複数台のデジタルカメラを用いて異なる露出設定で同時に動画を撮影し、撮影を行った複数台カメラの動画の各フレームを合成してハイダイナミックレンジ動画を作成する。その撮影準備課程において、複数台のデジタルカメラの露出設定を適正またはアンダー、オーバーに設定し静止画撮影を行って、ハイダイナミックレンジ合成により完成時の動画を予想をしながら撮影を行う場合がある。
【０００３】
コンピュータとデジタルカメラをUSBや無線で接続し、デジタルカメラの背面液晶画面に表示されるライブビュー表示をコンピュータのディスプレイに拡大表示し、遠隔制御で撮影するリモートライブビュー撮影手法を用いて撮影を行う場合がある。
【０００４】
遠隔制御を行うリモート撮影において、複数台のデジタルカメラに対してもコントロールが可能であり、静止画、動画の撮影開始命令をデジタルカメラに行い画像及び映像をデジタルカメラからコンピュータへ転送して撮影者が撮影した結果をコンピュータで確認することができる。
【０００５】
動画像の複数台のデジタルカメラを制御するリモート撮影を行い、それぞれのデジタルカメラから取得した動画ファイルを取得し、それぞれの動画ファイルからハイダイナミックレンジ合成の編集を行ってハイダイナミックレンジ動画像を生成する。
【０００６】
例えば、特許文献１では複数からなる撮像装置におけるハイダイナミックレンジ撮影制御について開示されている。
【先行技術文献】
【特許文献】
【０００７】
【特許文献１】特開平７−１３１７１８号公報
【発明の概要】
【発明が解決しようとする課題】
【０００８】
しかしながら、上述の特許文献に開示された従来技術を用いて、ハイダイナミックレンジ動画を撮影するための準備をする場合、撮影者が複数のデジタルカメラに対して露出の決定を行う必要があり、撮影者は各カメラの露出状況を個々のデジタルカメラで判断し、かつハイダイナミックレンジ動画完成時の状況を予測しながら露出の決定を行わなくてはならない。
【０００９】
また、ハイダイナミックレンジ動画を作成するために、複数のデジタルカメラより撮影を行った映像の同一時間のフレーム毎にハイダイナミックレンジ合成処理を行わなくてはならず、作成には非常に手間がかかる。
【００１０】
よって、ハイダイナミックレンジ動画を合成する処理は撮影完了後の工程となり、時間と手間をかけてハイダイナミックレンジ合成を行い、その結果を経て調整不足と判断した場合、撮り直し作業をはじめから行わなくてはならず作業負荷が非常に高い。
【００１１】
そこで、本発明の目的は、複数台のデジタルカメラとコンピュータと接続し、各デジタルカメラのリモートライブビュー画像を取得し、複数のライブビュー画像をハイダイナミックレンジ合成し、ハイダイナミックレンジ動画完成後のプレビュー表示を行い撮影者の作業負荷を軽減することと、
コンピュータと接続した、複数のデジタルカメラに対して、ハイダイナミックレンジ動作撮影における設定パラメータを一括で行うことでより簡単に設定を行えるようにし、撮影者の負荷を減らすための方法を提供することである。
【課題を解決するための手段】
【００１２】
上記目的を達成するために、本発明は、コンピュータ１と複数台の撮影装置（２ａ、２ｂ、２ｃ）を接続し、リモートでの撮影に係る情報を表示する画面と、複数台の撮像装置毎のライブビュー表示する画面（３０１、３０２、３０３）とを有し、複数台の撮像装置から得られたライブビュー画像をハイダイナミックレンジ合成した結果を表示する画面（３１１）とを備える。
【発明の効果】
【００１３】
本発明によれば、ハイダイナミックレンジ動画を作成する為の素材映像を撮影する上で、ハイダイナミックレンジ動画の完成プレビューを撮影前に確認することができ、コンピュータに接続した複数台のデジタルカメラに対して、ハイダイナミックレンジ動画の為の素材映像を撮影するための設定を簡単に行える方法を提供することができる。
【図面の簡単な説明】
【００１４】
【図１】本発明に係るデジタルカメラの一実施の形態を示すシステム構成図である。
【図２】本発明に係るデジタルカメラの構成を示すブロック構成図である。
【図３】ａ）複数台のデジタルカメラのライブビュー表示、ハイダイナミックレンジのプレビュー表示、画像ズレ量の表示とフォーカスの制御形態を示す図である。 ｂ）ハイダイナミックレンジプレビュー画像生成時の合成比率を示す図である。
【図４】ハイダイナミックレンジ設定用の画面を示す図である。
【図５】本発明に係るデジタルカメラの制御方法の制御手順を示すフローチャートである。
【発明を実施するための形態】
【００１５】
以下に、本発明の好ましい実施の形態を、添付の図面に基づいて詳細に説明する。図１は、本発明の実施形態にかかわるシステム構成図である。
【実施例１】
【００１６】
以下に、本発明の形態を示す実施例１を表す。
【００１７】
図１にネットワーク３を介してコンピュータ１と接続された複数台のデジタルカメラ２a〜２cの概略図を示す。
【００１８】
図１において、カメラ２ａ〜２ｃはネットワーク３を介して通信可能な機能を有するデジタルカメラやデジタルビデオカメラ等である。本実施形態では３台であるが、この台数に限るものではなく２台以上であればよい。
【００１９】
ネットワーク３はLocal Area Network（ＬＡＮ）のような汎用的なもの、あるいは専用線などからなり、通信の用途に利用できる通信回線である。
【００２０】
表示装置５はＣＲＴやＬＣＤなどを持つ表示器であり、ネットワーク３を通して、カメラ２ａ〜２ｃにて撮影された画像データを通信可能なコンピュータのディスプレイにより実現してもよい。
【００２１】
入力操作装置４は、撮影者がコンピュータ１や表示装置５を操作するためのデバイスであり、キーボードやボタン、マウス、リモートコントローラなどで実現してもよいし、タッチパネルで実現して表示装置５と一体のものとして実現してもよい。入力操作装置４はコンピュータのキーボードで実現してもよい。
【００２２】
コンピュータ１、デジタルカメラ２ａ〜２ｃ、はネットワーク３を介して通信可能に接続され、コンピュータ１と表示装置５、入力装置４は接続してもよい。また、コンピュータ１、デジタルカメラ２ａ〜２ｃ、表示装置５、及び入力操作装置４はネットワーク３を介して通信可能に接続されてもよい。
【００２３】
尚、入力操作装置４からカメラ制御装置１や表示装置５へ出力される操作信号の方式は、有線通信式、無線通信式、光通信式のいずれでもよく、限定するものではない。
【００２４】
次に、図２にデジタルカメラ２の内部の構成について示す。
【００２５】
撮像素子２３は、CCDやCMOSのようなセンサーであり、撮像素子２３に結像した光は、撮像素子２３内の各画素において,入射光量に応じた量の電荷に変換される。
【００２６】
タイミングジェネレータ３２が発生させる信号は、撮像素子２３を駆動し、センサーに蓄積した電荷を伝送し、順次電圧信号に変換される。
【００２７】
前記変換された電圧信号は、相関二重サンプリング３０（以下CDSと呼ぶ）でサンプリングされ、A/D変換器３１でデジタル信号に変換される。
【００２８】
デジタル信号に変換された画像データは、IC３３に入力され、まず、前記データに対してホワイトバランスのためのデータを算出するためのWB回路３３aに入り、３５のメモリー１にいったん格納される。
【００２９】
３５のメモリー1に格納されたデータは、再びIC３３に入力され、3つの画像処理を施される。
【００３０】
まず、デジタル信号に変換された画像データは、そのままロスレス圧縮（可逆圧縮）をかけるロスレス圧縮回路３３dにおいてロスレス圧縮されたRAWデータに変換されCPUバス３４に送り出される。
【００３１】
また、デジタル信号に変換された画像データは、例えば図7のようにRAWデータをブロック内平均したりローパスフィルタをかけたりして帯域を落とし、そこから間引くことによってダウンサンプリングされ、元の画像サイズより小さいサムネイル画像に変換されるためにRAWサムネイル回路３３cで間引き処理され、CPUバス３４に送られる。
【００３２】
最後に、jpeg圧縮するための画像を作るために、画像処理回路３３bにおいて画像処理を施され、その結果出力されるYcbCrは、ラスタブロック変換されて、jpeg圧縮回路３３eでjpeg圧縮をされて、CPUバス３４に送られる。
【００３３】
CPU３６は、電源が投入された直後、３７のメモリー２内部のプログラムに従い、デジタルカメラ２を初期化し、交換レンズと通信を開始する。
【００３４】
また、CPUは、撮影された画像データでCPUバス３４に出力された画像データを一度３５のメモリー１に格納し、インターフェース回路３８を介して外部メモリー３９に最終的に書き込む。
【００３５】
CPU３６につながるスイッチ４０は、レリーズスイッチであり、スイッチ４０を押すことによって、上記の撮影の動作が行われ、外部メモリー３９に画像が書き込まれる。
【００３６】
また、ライブビュー表示時には、撮像素子２３に結像し撮影された画像データを３７のメモリー２に保存し、デジタルカメラ２に設置される背面ディスプレイへライブビュー表示を行う。ライブビュー表示は撮影された画像を一定間隔で更新し、光学ファインダーを通して行う撮影対象の確認を代替する。
【００３７】
次に、デジタルカメラの外部インターフェース３を介してコンピュータ１と接続した複数台のデジタルカメラ２ａ〜２ｃにおける、ハイダイナミックレンジプレビュー表示およびデジタルカメラ制御方法を説明する。
【００３８】
デジタルカメラ２ａ〜２ｃの外部インターフェースとコンピュータ１のネットワーク３に示す接続形態はUSBや無線接続等データの受け渡しが可能なものであれば何でも良い
本実施例では、リモートライブビュー表示画像とハイダイナミックレンジプレビュー表示は、コンピュータ１と接続される表示装置５に表示する。
【００３９】
図３aはコンピュータ１と接続した表示装置５へリモートライブビュー表示している操作・表示パネル３１０である。コンピュータ１と接続した複数台のデジタルカメラ２ａ〜２ｃがライブビューを開始し、デジタルカメラからライブビュー画像がコンピュータ１へ送られ、操作・表示パネル３１０に設置されるライブビュー表示画面３１１にライブビュー表示がなされる（リモーライブビュー撮影手法）。
【００４０】
なお、本実施例においては３台のデジタルカメラがネットワーク３を介してコンピュータ１へ接続された場合の表示形態について操作・表示パネル３１０に示している。コンピュータ１とネットワーク３を介して接続されるデジタルカメラに台数に応じて、操作・表示パネル３０１の操作・表示パネルに接続台数分のライブビュー画面が表示される。
【００４１】
撮影者は複数台のデジタルカメラ２ａ〜２ｃにおいて、マスターとなるデジタルカメラを決定することが出来、マスターとしたデジタルカメラのライブビュー画面３０２は枠線を他のライブビュー画面より太く表示するなど他のデジタルカメラとは区別して表示する。マスター以外のデジタルカメラはスレーブとなり、マスターデジタルカメラのライブビュー画面とは区別して表示する。
【００４２】
操作・表示パネル３１０の表示部材３１５は、マスターとしたデジタルカメラの注目点を検出し、スレーブとしたデジタルカメラの画像の注目点と比較することでずれ量を算出する。算出した結果を表示部材３１５に表示する。
【００４３】
３１１は複数台のデジタルカメラ２ａ〜２ｃのライブビュー画像をハイダイナミックレンジ合成したプレビュー画面である。
【００４４】
本実施例では、３台のデジタルカメラがネットワーク３を介してコンピュータ１へ接続された場合において、ライブビュー画像の輝度が０から最大までの範囲で、低輝度範囲、中輝度範囲、高輝度範囲と３つのレンジに等分割し、３つのデジタルカメラがそれぞれ低輝度範囲撮影用デジタルカメラ１番（１番カメラ）、中輝度範囲撮影用デジタルカメラ２番（２番カメラ）、高輝度範囲撮影用デジタルカメラ３番（３番カメラ）として、ライブビュー画像をハイダイナミックレンジ合成してプレビュー画像を表示している。なお、各デジタルカメラにおける、輝度範囲の比率は撮影者により変更が可能である。
【００４５】
図３ｂは、操作・表示パネル３０１にある、ハイダイナミックレンジプレビュー画面３１６へ表示する、ハイダイナミックレンジ合成プレビュー画像生成時における、各デジタルカメラのライブビュー画像の合成比率をグラフで表したものである。図３ｂは撮影する露出範囲を±３ＥＶに設定した場合の例で、横方法は輝度、縦方向はゲインを表し、図３ｂグラフ中のa線は露出補正量を＋３ＥＶに設定した１番カメラの合成比率を表し、ｂ線は適正露出に設定した２番カメラの合成比率を表し、ｃ線は露出補正量を−３ＥＶに設定した３番カメラの合成比率を表す。なお、本実施例ではグラフに表すようなハイダイナミックレンジ合成の例を示したが、ハイダイナミックレンジ合成方法は、より絵画的な絵になる合成方法といった別の手法を用いてもよい。
【００４６】
そのほか、遠隔操作でデジタルカメラのオートフォーカスを行うためのオートフォーカス操作部材３１２が設置されており、操作部材３１２に設置されている、オートフォーカスＯＮボタンを操作しオートフォーカスを行い、オートフォーカスＯＦＦボタンを操作しオートフォーカスを中断する。  無限方向及び至近方向へ撮影者がマニュアル操作でフォーカス送りを行う為に、複数段階のフォーカスパルス量をカメラに送る為の操作ボタン３１３を有したマニュアルフォーカス操作部材３１４が設置されている。オートフォーカス実施時には、コンピュータ１とネットワーク３を介して接続されているデジタルカメラ２a〜２ｃの複数台カメラに対して一斉にオートフォーカス命令を行う。オートフォーカス中はライブビュー画像に画角変化とボケが発生するため、その状態を判定してハイダイナミックレンジプレビュー画面３１１及び画像ズレ量の表示部材３１５の更新は行わない。また表示更新を行わない条件として、マニュアルフォーカス時やクリックホワイトバランス設定時などの設定状態においても有効である。
【００４７】
なお、ハイダイナミックレンジ合成の設定はハイダイナミックレンジ用設定ボタン３１６を撮影者が操作することで、図４に示されるハイダイナミックレンジ設定ダイアログ４１０を起動する。
【００４８】
コンピュータ１にネットワーク３を介して接続された複数台のデジタルカメラに対して、ハイダイナミックレンジ動画を作成する為の設定を行うための処理は、図４に示したハイダイナミックレンジ設定画面４１０にて撮影者が行う。
【００４９】
撮影者が決定したハイダイナミックレンジ用の各設定値は、コンピュータ１に接続されるデジタルカメラの台数、および、設定値の範囲により自動で決定され、複数台のカメラに対して露出量の設定がなされる。
【００５０】
ハイダイナミックレンジ設定画面４１０の設定項目は、露出範囲設定部材４１１、露出補正量設定部材４１２、明暗優先設定部材４１５、設定の決定を行うOKボタン４１７、設定のキャンセルを行うCANCELボタン４１８で構成される。
【００５１】
露出範囲設定部材４１１は、ハイダイナミックレンジ撮影での適正露出からアンダー、オーバーの露出範囲を撮影者が、設定量操作部材（スライダー）４１２を操作して設定する。例えば、３台のデジタルカメラがコンピュータ１にネットワーク３を介して接続されていた状況において、露出範囲を＋３ＥＶと決定した場合、１番のデジタルカメラを適正露出量から露出補正量を＋３ＥＶ、２番のデジタルカメラを適正露出とし、３番のデジタルカメラの適正露出から露出補正量を−３ＥＶとし、コンピュータ１よりネットワーク３を介して各デジタルカメラに設定を行う。
【００５２】
露出補正量設定部材４１３は、ハイダイナミックレンジ撮影における露出補正量を撮影者が、設定量操作部材（スライダー）４１４を操作して設定する。例えば、３台のデジタルカメラがコンピュータ１にネットワーク３を介して接続されていた状況において、ハイダイナミックレンジ設定の露出範囲を＋３ＥＶと設定し、かつ露出補正量を−１ＥＶと決定した場合、１番のデジタルカメラを適正露出量から露出補正量を＋２ＥＶ、２番のデジタルカメラを適正露出から露出補正量を−１ＥＶ、３番のデジタルカメラの適正露出から露出補正量を−４ＥＶとし、コンピュータ１よりネットワーク３を介して各デジタルカメラに設定を行う。
【００５３】
明暗優先設定部材４１５は、ハイダイナミックレンジ撮影において明るい輝度領域のディテールを優先して撮影するか、暗い部分のディテールを優先して撮影するかどうかの優先量を撮影者が、設定量操作部材（スライダー）４１６を操作して設定する。例えば、３台のデジタルカメラがコンピュータ１にネットワーク３を介して接続されていた状況において、明暗優先量を１ＥＶ暗部側へ優先に決定した場合、露出範囲を＋３ＥＶと設定し、かつ適正露出でのハイダイナミックレンジ設定では、１番のデジタルカメラを適正露出量から露出補正量を＋３ＥＶ、２番のデジタルカメラを適正露出とし、３番のデジタルカメラの露出補正量を−２ＥＶとし、コンピュータ１よりネットワーク３を介して各デジタルカメラに設定を行う。
【００５４】
なお、本実施例の図４に示される各設定部材の設定範囲はあくまで一例であり、範囲や露出刻み量は限定されるものではない、コンピュータ１に接続されるデジタルカメラの露出補正の設定に合わせて最大の設定範囲を拡大することも可能である。
【００５５】
ハイダイナミックレンジ設定画面４１０上のOKボタン４１７の操作によりハイダイナミックレンジ設定画面４１０で更新した設定値が決定され、CANCELボタン４１８の操作により更新した設定値を破棄し、ハイダイナミックレンジ設定ダイアログを閉じる。
【００５６】
図５は本発明のハイダイナミックレンジプレビュー表示制御フローチャートであって本プログラムはコンピュータにて実行する。
【００５７】
複数台のデジタルカメラ２ａ〜２ｃは、インターフェース３を介して、コンピュータ１と接続される。コンピュータ１は、ネットワーク３を介して、デジタルカメラ２ａ〜２ｃと通信を行い、デジタルカメラ２の内部の情報を得ることができる。
【００５８】
ステップＳ１０１でデジタルカメラ２ａ〜２ｃおよびコンピュータ１を共に電源を入れ、通電させ動作可能な状態にする。
【００５９】
ステップＳ１０２でコンピュータ１からデジタルカメラ２ａ〜２ｃへ、現在のコンピュータ１の設定情報を通知して、デジタルカメラ２ａ〜２ｃはコンピュータ１の設定状態を受信する。
【００６０】
ステップＳ１０２でデジタルカメラ２ａ〜２ｃからコンピュータ１へ、現在のカメラ設定情報を通知し、コンピュータ１はデジタルカメラ２の状態を受信する。ステップＳ１０２でデジタルカメラ２ａ〜２ｃから受信した設定情報とは、露出補正量の設定状態、ホワイトバランスの設定情報、ライブビュー状態などの各情報である。
【００６１】
デジタルカメラの設定情報はカメラの状態が撮影者による設定変更された場合、コンピュータ１からのデジタルカメラ２ａ〜２ｃへの設定変更された場合により、デジタルカメラ２ａ〜２ｃからそれぞれネットワーク３を介してコンピュータ１へ更新通知される。
【００６２】
ステップＳ１０３では、コンピュータ１にてリモートライブビューの開始をデジタルカメラ２ａ〜２ｃへ通知し、デジタルカメラ２ａ〜２ｃはライブビューを開始し、コンピュータ１はデジタルカメラ２ａ〜２ｃからライブビュー画像を一定間隔で受信するよう待ち受け状態となりステップ１０４に進む。ステップ１０４にてライブビュー画像を受信したか否かを判定しライブビュー画像を受信した場合は、画像はステップ１０５にて、表示装置５へ表示される、表示・設定パネル３１０にあるデジタルカメラ毎のライブビュー表示画面３０１のライブビュー表示を更新する。
【００６３】
ステップＳ１０６では、コンピュータ１にネットワーク３を介して接続される複数台のデジタルカメラからコンピュータがそれぞれのライブビュー画像を受信したか否かを判断し、その答えが肯定（ＹＥＳ）の場合はステップＳ１０７に進み、その答えが否定（ＮＯ）のときは、ステップＳ１１０へ進む。
【００６４】
ステップＳ１０７では、複数台のデジタルカメラから取得したライブビュー画像を、図３ｂに示した合成比率にてハイダイナミックレンジ合成し、ハイダイナミックレンジ画像を生成し、表示・操作パネル３１０のハイダイナミックレンジ画像のプレビュー画面３１１に表示されるハイダイナミックレンジ画像を更新する。
【００６５】
ステップＳ１０８では、コンピュータ１にネットワーク３を介してされるデジタルカメラから取得した複数のライブビュー画像について、撮影者がマスターと決定したデジタルカメラのライブビュー画像（マスターライブビュー画像）と撮影者がスレーブカメラと決定したライブビュー画像（スレーブライブビュー画像）とを比較し、マスターライブビュー画像の注目点とスレーブライブビュー画像の注目点のズレを検出する。
【００６６】
ステップＳ１０９にてズレ量の検出結果の表示を更新し、ステップＳ１１０に進む。
【００６７】
ステップＳ１１０では、デジタルカメラ２側のライブビューの終了操作または、コンピュータ１にて撮影者がリモートライブビューの終了操作を行ったことを判断し、その答えが肯定（ＹＥＳ）の場合はステップＳ１１１に進み、その答えが否定（ＮＯ）のときは、ステップＳ１０４へ戻りライブビュー画像の取得を判断する。
ステップＳ１１１では、操作・表示パネル３０１閉じコンピュータ１にネットワーク３を介して接続されるデジタルカメラ２aから２ｂへライブビューの終了を通知し、リモートライブビューを終了する。ステップＳ１１２にて通信が切断された場合、ステップＳ１１３にて電源をＯＦＦし終了する。
【００６８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６９】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００７０】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７１】
その場合、プログラムの機能を有していれば、オブジェクトコード、インタプリタにより実行されるプログラム、ＯＳに供給するスクリプトデータ等、プログラムの形態を問わない。
【００７２】
プログラムを供給するための記録媒体としては、例えば、ハードディスク、磁気テープ等の磁気記録媒体、光／光磁気記憶媒体、不揮発性の半導体メモリーでもよい。
【００７３】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００７４】
２３撮像素子
３３画像処理IC
３７光学補正データを格納するメモリー
３８外部記憶手段や、コンピュータとデジタルカメラを接続するためのインターフェース
３９外部記憶手段
【図１】
2013162190.tif 000003
【図２】
2013162190.tif 000004
【図３】
2013162190.tif 000005
【図４】
2013162190.tif 000006
【図５】
2013162190.tif 000007